(57)【特許請求の範囲】
【請求項１】
情報配信装置からの個人呼出しや各種情報サービスなどの配信情報の配信情報データを公衆通信回線網経由で受信する個人呼出用のポケット端末や個人情報伝達用のハンドヘルド端末などの携帯通信端末（以下  ＰＤＡと略称する）と、
前記ＰＤＡと配信情報データのインタフェース（以下  Ｉ／Ｆと略称する）を行うデータＩ／Ｆ手段と、前記データＩ／Ｆ手段が受信した配信情報データに基づき配信番組の配信番組データを作成すると共に所定の格納区画に格納する番組配信制御手段と、前記配信情報データや配信番組データを格納するデータ格納手段と、前記配信情報データもしくは配信番組データを通信出力する通信制御手段とを有する情報受配信端末と、
前記配信情報データもしくは配信番組データを配信する情報配信ネットワークと、
前記情報配信ネットワークとの通信接続制御を行うと共に前記配信情報データもしくは配信番組データを受信し所定の場所に格納するデータ送受信手段と、前記配信番組データに基づき表示番組データを生成する表示制御手段と、前記配信番組データを格納記憶するデータ記憶手段と、前記表示番組データを表示出力する表示部を有する表示制御装置とで構成する情報配信システムであって、
前記情報受配信端末の、前記データＩ／Ｆ手段は前記配信情報データを前記ＰＤＡ経由で受信し、前記番組配信制御手段は、受信した前記配信情報データを予め設定記憶された番組ＩＤ毎の番組情報データに分離し、前記配信情報データもしくは分離された前記番組情報データを前記データ格納手段に格納記憶するとともに、格納記憶された前記配信情報データもしくは前記番組情報データを複数の前記表示制御装置に配信するようにしたことを特徴とするＰＤＡ利用の情報配信方法。
【請求項２】
前記表示制御装置は音声出力するための音声出力部を備え、前記配信情報データもしくは前記番組情報データは前記音声出力部から音声出力するための音声データを含むようにしたことを特徴とする請求項１に記載のＰＤＡ利用の情報配信方法。
【請求項３】
前記情報受配信端末のデータＩ／Ｆ手段は、前記配信情報データを前記ＰＤＡ経由で受信し、予め設定記憶された番組種別コード毎の番組種別情報データに分離し、前記データ格納手段に格納記憶することを特徴とする請求項１に記載のＰＤＡ利用の情報配信方法。
【請求項４】
前記情報受配信端末のデータＩ／Ｆ手段は、前記配信情報データを前記ＰＤＡ経由で受信し、予め設定記憶されたデータ種別コード毎の種別情報データに分離し、前記データ格納手段に格納記憶することを特徴とする請求項１に記載のＰＤＡ利用の情報配信方法。
【請求項５】
前記情報受配信端末のデータＩ／Ｆ手段は、前記配信情報データを前記ＰＤＡ経由で受信し、予め設定記憶されたデータ区分コード毎の区分情報データに分離し、前記データ格納手段に格納記憶することを特徴とする請求項１に記載のＰＤＡ利用の情報配信方法。
【請求項６】
前記情報受配信端末のデータＩ／Ｆ手段は、前記配信情報データを前記ＰＤＡ経由で受信し、予め設定記憶されたデータ種別毎の種別情報データおよび区分コード毎の区分情報データに分離し、複数の分離された情報データを組合わせて前記データ格納手段に格納記憶することを特徴とする請求項１に記載のＰＤＡ利用の情報配信方法。
【請求項７】
前記情報受配信端末のデータＩ／Ｆ手段は、受信分離された配信情報データを、前記番組配信制御手段により予め設定された格納条件で、前記データ格納手段に格納記憶することを特徴とする請求項１に記載のＰＤＡ利用の情報配信方法。
【請求項８】
前記情報受配信端末のデータＩ／Ｆ手段は、受信分離された配信情報データを、前記番組配信制御手段による任意設定が可能なデータ格納手段に格納記憶することを特徴とする請求項１に記載のＰＤＡ利用の情報配信方法。
【請求項９】
前記情報受配信端末のデータＩ／Ｆ手段は、受信分離された配信情報データを、複数のデータ格納手段に同時格納記憶することを特徴とする請求項１に記載のＰＤＡ利用の情報配信方法。
【請求項１０】
前記情報受配信端末のデータＩ／Ｆ手段は、受信分離された配信情報データを、前記番組配信制御手段により予め設定された複数の格納条件で、前記データ格納手段に格納記憶することを特徴とする請求項１に記載のＰＤＡ利用の情報配信方法。
【請求項１１】
前記情報受配信端末は、受信分離された配信情報データを、前記情報配信ネットワーク経由で前記表示制御装置のデータ記憶手段に、送信格納することを特徴とする請求項１に記載のＰＤＡ利用の情報配信方法。
【請求項１２】
前記情報受配信端末のデータＩ／Ｆ手段は、受信分離された同一番組種別、同一データ種別、もしくは同一データ区画の配信情報データが更新された場合、前記データ格納手段に格納記憶された同一配信情報データを自動更新することを特徴とする請求項１に記載のＰＤＡ利用の情報配信方法。
【請求項１３】
前記情報受配信端末の番組配信制御手段は、前記データ格納手段の同一配信情報データの格納容量もしくは数量の制限を設けることを特徴とする請求項１に記載のＰＤＡ利用の情報配信方法。
【請求項１４】
前記情報受配信端末のデータＩ／Ｆ手段は、携帯電話やインターネットに接続されたＷＥＢ端末などの前記ＰＤＡ以外の装置経由で配信情報データを受信し、前記データ格納手段に格納記憶することを特徴とする請求項１に記載のＰＤＡ利用の情報配信方法。
【請求項１５】
前記情報受配信端末のデータＩ／Ｆ手段は、該情報受配信端末の起動時もしくは分離条件又は格納条件の設定変更時に、前記データ格納手段に格納記憶されている配信情報データを自動更新することを特徴とする請求項１に記載のＰＤＡ利用の情報配信方法。
【請求項１６】
情報配信装置からの個人呼出しや各種情報サービスなどの配信情報の配信情報データを公衆通信回線網経由で受信する個人呼出用のポケット端末や個人情報伝達用のハンドヘルド端末などのＰＤＡと、
前記ＰＤＡと配信情報データのＩ／Ｆを行うデータＩ／Ｆ部と配信情報データを復調するデータ復調部を有するデータＩ／Ｆ手段と、前記データＩ／Ｆ手段が受信復調した配信情報データに基づき配信番組の配信番組データを作成する番組作成部と該配信情報データ又は配信番組データを所定格納区画に格納制御する番組格納制御部と該配信情報データ又は配信番組データの配信制御を行う番組配信制御部とを有する番組配信制御手段と、受信した配信情報データを記憶する受信データファイルと該配信情報データを解析分離する解析条件を記憶する解析条件ファイルと作成された配信番組データを記憶する配信番組ファイルとを有するデータ格納手段と、前記配信情報データもしくは配信番組データを通信出力する通信制御手段とでなる情報受配信端末と、
前記配信番組データを配信するＬＡＮ（Local Area Network）やＷＡＮ（Wide Area Network ）などの情報配信ネットワークと、
前記情報配信ネットワークとの通信接続制御を行う通信制御部と前記配信情報データもしくは配信番組データを受信入力するデータ受信部とを有するデータ送受信手段と、配信番組を表示出力する表示部と、前記配信情報データもしくは配信番組データに基づき番組の種別を判断する番組種別判断部と表示番組データを生成する表示データ生成部と前記表示部を制御する表示制御部とを有する表示制御手段と、前記配信情報データもしくは配信番組データを記憶する受信データメモリと装置ＩＤを記憶する表示ＩＤメモリと前記表示制御手段の制御条件を記憶している表示制御メモリとを有するデータ記憶手段とで成る表示制御装置、とで構成することを特徴とするＰＤＡ利用の情報配信システム。
【請求項１７】
前記表示制御装置の前記表示制御手段に音声データを生成する音声データ生成部と、前記表示制御装置に前記音声データを音声出力するための音声出力部とを備えたことを特徴とする請求項１６に記載のＰＤＡ利用の情報配信システム。
【請求項１８】
前記情報受配信端末のデータＩ／Ｆ手段に、受信復調した配信情報データに基づき番組の種別を判断する番組種別判断部を追加設置することを特徴とする請求項１６に記載のＰＤＡ利用の情報配信システム。
【請求項１９】
前記情報受配信端末のデータＩ／Ｆ手段に、受信復調した配信情報データに基づきデータの種別を判断するデータ種別判断部を追加設置することを特徴とする請求項１６に記載のＰＤＡ利用の情報配信システム。
【請求項２０】
前記情報受配信端末のデータＩ／Ｆ手段に、受信復調した配信情報データより所定の区分データを分離する区分データ分離部を追加設置することを特徴とする請求項１６に記載のＰＤＡ利用の情報配信システム。
【請求項２１】
前記情報受配信端末のデータＩ／Ｆ手段に、受信復調した配信情報データをデータ格納手段の所定ファイルへの格納記憶制御を行うデータ格納制御部を追加設置することを特徴とする請求項１６に記載のＰＤＡ利用の情報配信システム。
【請求項２２】
前記情報受配信端末のデータ格納手段に、前記データ格納制御部の格納制御条件を記憶している格納条件ファイルを追加設置することを特徴とする請求項１６に記載のＰＤＡ利用の情報配信システム。
【請求項２３】
前記情報受配信端末のデータ格納手段に、前記番組配信制御部が配信情報データもしくは配信番組データを配信する配信先データを記憶登録する配信先データファイルを追加設置することを特徴とする請求項１６に記載のＰＤＡ利用の情報配信システム。
【請求項２４】
前記情報受配信端末のデータ格納手段に、前記番組配信制御部が配信する配信番組の予定データを記憶登録する配信予定データファイルを追加設置することを特徴とする請求項１６に記載のＰＤＡ利用の情報配信システム。
【請求項２５】
前記表示制御装置のデータ送受信手段に配信番組データの請求を行う請求データを送信する番組請求部と、前記情報受配信装置に該送信請求データを受付ける請求データ受付部と該請求データに対応して前記データ格納手段に格納記憶されている配信番組データより該当配信番組データを検索するデータ検索部と検索出力した配信番組データを送信する請求データ送信部とを追加設置することを特徴とする請求項１６に記載のＰＤＡ利用の情報配信システム。
【請求項２６】
前記表示制御装置の通信制御手段および前記情報配信ネットワークを、ＩＳＤＮ（Integrated Service Digital Network）手段とすることを特徴とする請求項１６に記載のＰＤＡ利用の情報配信システム。
【請求項２７】
前記表示制御装置の通信制御手段および前記情報配信ネットワークを、無線ＬＡＮ手段とすることを特徴とする請求項１６に記載のＰＤＡ利用の情報配信システム。
【請求項２８】
前記表示制御装置の通信制御手段および前記情報配信ネットワークを、ブルートゥース規格に準拠する無線伝送手段とすることを特徴とする請求項１６に記載のＰＤＡ利用の情報配信システム。
【発明の詳細な説明】
【０００１】
【発明の属する技術分野】
本発明は、ＰＤＡ（Personal Digital Assistants ）を利用して複数の表示制御装置に情報を配信する情報配信方法に関わり、より詳細には、情報受配信端末が公衆通信回線およびＰＤＡを経由して配信情報データを受信し、任意の格納手段に格納すると共に情報配信ネットワークを経由して複数の表示表示制御装置に番組情報を配信する情報配信方法と情報配信システムに関わる。
【０００２】
【従来の技術】
情報配信元より無線公衆通信網経由で個人呼出用のポケット端末（ポケベルなどと通称されるものを含む）や個人情報伝達用のハンドヘルド端末（ページャと通称されるものを含む）といった携帯受信装置に各種情報を配信する情報通信システムは、比較的安価にシステム構築ができ、また、移動体で利用する環境下の如く場所を選ばないシステムとして、様々な分野で利用されている。この情報通信システムは、情報の受信データを表示装置に表示したり、受信データに基づいて各種制御機器を制御するなど、受信データは多様な利用形態を可能としている。
従来の技術では、用途毎の専用装置であり受信データは常にシステム毎に決められた固定条件でデータ毎に解析分離され、固定した格納区画に格納記憶される。このため、複数の表示装置や複数の制御装置で配信された受信データを、情報配信ネットワーク経由で共同利用したい場合でも、それぞれに受信システムが必要になると云う問題点がある。また、１つの受信データに対して決められた条件で解析・格納を行うため、複数の制御装置に受信データを配信しても、制御装置毎に異なる要求に直接的に対応出来ず、一時的に不必要なデータを取得することになると云った問題点もある。
【０００３】
【発明が解決しようとする課題】
以上に説明した問題点に鑑み、本発明は、情報配信元から公衆通信回線網を経由してＰＤＡが受信した情報配信データを任意の分離条件で分離すると共に任意の格納条件で複数の格納場所に格納し、該情報配信データを情報配信ネットワーク経由で複数の表示制御装置に配信するＰＤＡ利用の情報配信方法と情報配信の提案を目的とする。
【０００４】
【課題を解決するための手段】
情報配信装置からの個人呼出しや各種情報サービスなどの配信情報の配信情報データを公衆通信回線網経由で受信する個人呼出用のポケット端末や個人情報伝達用のハンドヘルド端末などのＰＤＡと、
ＰＤＡと配信情報データのＩ／Ｆを行うデータＩ／Ｆ手段と、データＩ／Ｆ手段が受信した配信情報データに基づき配信番組の配信番組データを作成すると共に所定の格納区画に格納する番組配信制御手段と、配信情報データや配信番組データを格納するデータ格納手段と、配信情報データもしくは配信番組データを通信出力する通信制御手段とを有する情報受配信端末と、
配信情報データもしくは配信番組データを配信する情報配信ネットワークと、
情報配信ネットワークとの通信接続制御を行うと共に配信情報データもしくは配信番組データを受信し所定の格納区画に格納するデータ送受信手段と、配信番組データに元づき表示番組データを生成する表示制御手段と、配信番組データを格納記憶するデータ記憶手段と、表示番組データを表示出力する表示部を有する表示制御装置とで構成する情報配信システムであって、
情報受配信端末の、データＩ／Ｆ手段は配信情報データをＰＤＡ経由で受信し、番組配信制御手段は、受信した配信情報データを予め設定記憶された番組ＩＤ毎の番組情報データに分離し、配信情報データもしくは分離された番組情報データをデータ格納手段に格納記憶するとともに、格納記憶された配信情報データもしくは番組情報データを複数の表示制御装置に配信するようにした。
【０００５】
前記表示制御装置は音声出力するための音声出力部を備え、配信情報データもしくは番組情報データは音声出力部から音声出力するための音声データを含むようにした。
【０００６】
前記情報受配信端末のデータＩ／Ｆ手段は、
配信情報データをＰＤＡ経由で受信し、予め設定記憶された番組種別コード毎の番組種別情報データに分離し、データ格納手段に格納記憶する、
配信情報データをＰＤＡ経由で受信し、予め設定記憶されたデータ種別コード毎の種別情報データに分離し、データ格納手段に格納記憶する、
配信情報データをＰＤＡ経由で受信し、予め設定記憶されたデータ区分コード毎の区分情報データに分離し、データ格納手段に格納記憶する、
もしくは、配信情報データを前記ＰＤＡ経由で受信し、予め設定記憶されたデータ種別毎の種別情報データおよび区分コード毎の区分情報データに分離し、複数の分離された情報データを組合わせてデータ格納手段に格納記憶する。
【０００７】
前記情報受配信端末のデータＩ／Ｆ手段は、
受信分離された配信情報データを、番組配信制御手段により予め設定された格納条件で、データ格納手段に格納記憶する、
受信分離された配信情報データを、番組配信制御手段による任意設定が可能なデータ格納手段に格納記憶する、
受信分離された配信情報データを、複数のデータ格納手段に同時格納記憶する、
もしくは、受信分離された配信情報データを、番組配信制御手段により予め設定された複数の格納条件で、データ格納手段に格納記憶する。
【０００８】
前記情報受配信端末は、受信分離された配信情報データを、情報配信ネットワーク経由で表示制御装置のデータ記憶手段に、送信格納する。
【０００９】
前記情報受配信端末のデータＩ／Ｆ手段は、受信分離された同一番組種別、同一データ種別、もしくは同一データ区画の配信情報データが更新された場合、データ格納手段に格納記憶された同一配信情報データを自動更新する。
【００１０】
前記情報受配信端末の番組配信制御手段は、データ格納手段の同一配信情報データの格納容量もしくは数量の制限を設ける。
【００１１】
前記情報受配信端末のデータＩ／Ｆ手段は、
携帯電話やインターネットに接続されたＷＥＢ端末などのＰＤＡ以外の装置経由で配信情報データを受信し、データ格納手段に格納記憶する、
もしくは、該情報受配信端末の起動時もしくは分離条件又は格納条件の設定変更時に、データ格納手段に格納記憶されている配信情報データを自動更新する。
【００１２】
ＰＤＡ利用の情報配信システムを、
情報配信装置からの個人呼出しや各種情報サービスなどの配信情報の配信情報データを公衆通信回線網経由で受信する個人呼出用のポケット端末や個人情報伝達用のハンドヘルド端末などのＰＤＡと、
ＰＤＡと配信情報データのＩ／Ｆを行うデータＩ／Ｆ部と配信情報データを復調するデータ復調部を有するデータＩ／Ｆ手段と、データＩ／Ｆ手段が受信復調した配信情報データに基づき配信番組の配信番組データを作成する番組作成部と該配信情報データ又は配信番組データを所定の格納区画に格納制御する番組格納制御部と該配信情報データ又は配信番組データの配信制御を行う番組配信制御部とを有する番組配信制御手段と、受信した配信情報データを記憶する受信データファイルと該配信情報データを解析分離する解析条件を記憶する解析条件ファイルと作成された配信番組データを記憶する配信番組ファイルとを有するデータ格納手段と、配信情報データもしくは配信番組データを通信出力する通信制御手段とでなる情報受配信端末と、
配信番組データを配信するＬＡＮやＷＡＮなどの情報配信ネットワークと、
情報配信ネットワークと通信接続制御を行う通信制御部と配信情報データもしくは配信番組データを受信し記憶入力するデータ受信部とを有するデータ送受信手段と、配信番組を表示出力する表示部と、配信情報データもしくは配信番組データに基づき番組の種別を判断する番組種別判断部と表示番組データを生成する表示データ生成部と表示部を制御する表示制御部とを有する表示制御手段と、配信情報データもしくは配信番組データを記憶する受信データメモリと装置ＩＤを記憶する表示ＩＤメモリと表示制御手段の制御条件を記憶している表示制御メモリとを有するデータ記憶手段とで成る表示制御装置、とで構成する。
【００１３】
前記表示制御装置の表示制御手段に音声データを生成する音声データ生成部と、表示制御装置に音声データを音声出力するための音声出力部とを備えた。
【００１４】
前記情報受配信端末のデータＩ／Ｆ手段に、
受信復調した配信情報データに基づき番組の種別を判断する番組種別判断部を追加設置する、
受信復調した配信情報データに基づきデータの種別を判断するデータ種別判断部を追加設置する、
受信復調した配信情報データより所定の区分データを分離する区分データ分離部を追加設置する、
もしくは、受信復調した配信情報データをデータ格納手段の所定ファイルに格納記憶制御を行うデータ格納制御部を追加設置する。
【００１５】
前記情報受配信端末のデータ格納手段に、
データ格納制御部の格納制御条件を記憶している格納条件ファイルを追加設置する、
番組配信制御部が配信情報データもしくは配信番組データを配信する配信先データを記憶登録している配信先データファイルを追加設置する、
もしくは、番組配信制御部が配信する配信番組の予定データを記憶登録している配信予定データファイルを追加設置する。
【００１６】
前記表示制御装置のデータ送受信手段に配信番組データの請求を行う請求データを送信する番組請求部と、情報受配信装置に該送信請求データを受付ける請求データ受付部と該請求データに対応してデータ格納手段に格納記憶されている配信番組データより該当配信番組データを検索するデータ検索部と検索出力された配信番組データを送信する請求データ送信部とを追加設置する。
【００１７】
前記表示制御装置の通信制御手段および前記情報配信ネットワークを、
ＩＳＤＮ手段とする、
無線ＬＡＮ手段とする、
もしくは、ブルートゥース規格に準拠する無線伝送手段とする。
【００１８】
【発明の実施の形態】
図１に示す本発明によるＰＤＡ利用の情報配信システムの第一の実施例のシステム構成図を用いて、本発明による情報配信システムの概略構成を説明する。
第一の実施例の情報配信システムは、
情報配信装置１からの個人呼出しや各種情報サービスなどの配信情報データを公衆通信回線網３経由で受信する個人呼出用のポケット端末や個人情報伝達用のハンドヘルド端末などのＰＤＡ２と、
ＰＤＡ２と配信情報データのＩ／Ｆを行うデータＩ／Ｆ手段４１と、データＩ／Ｆ手段４１が受信した配信情報データに基づき配信番組データを作成すると共に所定の格納区画に格納する番組配信制御手段４２と、配信情報データや配信番組データを格納するデータ格納手段４３と、配信情報データもしくは配信番組データを通信出力する通信制御手段４５とを有する情報受配信端末４と、
配信番組データもしくは配信情報データを配信する情報配信ネットワーク５と、
情報配信ネットワーク５との通信接続制御を行うと共に配信情報データもしくは配信番組データを受信し所定の場所に格納するデータ送受信手段６１と、配信番組データに基づき表示番組データを生成する表示制御手段６２と、配信番組データを格納記憶するデータ記憶手段６３と、表示番組データを表示出力する表示部６４及び音声出力部６５とを有する表示制御装置６とで構成されている。
【００１９】
図２に示す本発明によるＰＤＡ利用の情報配信システムの第二の実施例の要部ブロック図と、図３に示す本発明によるＰＤＡ利用の情報配信システムの第三の実施例の要部ブロックとを用いて、本発明による情報配信システムの詳細構成を説明する。
第二の及び第三の実施例の情報配信システムは、
情報配信装置１からの個人呼出しや各種情報サービスなどの配信情報データを公衆通信回線網３経由で受信する個人呼出用のポケット端末や個人情報伝達用のハンドヘルド端末などのＰＤＡ２と、
ＰＤＡ２と配信情報データのＩ／Ｆを行うデータＩ／Ｆ部４１ａと配信情報データを復調するデータ復調部４１ｂとを有するデータＩ／Ｆ手段４１と、データＩ／Ｆ手段４１が受信復調した配信情報データに基づき配信番組データを作成する番組作成部４２ａと該配信情報データ又は配信番組データを所定の格納区画に格納制御する番組格納制御部４２ｂと該配信情報データ又は配信番組データの配信制御を行う番組配信制御部４２ｃとを有する番組配信制御手段４２と、受信した配信情報データを記憶する受信データファイル４３ａと該配信情報データを解析分離する解析条件を記憶している解析条件ファイル４３ｂと作成された配信番組データを記憶する配信番組ファイル４３ｅとを有するデータ格納手段４３と、配信番組データを表示出力する表示部４７と、配信情報データもしくは配信番組データを通信出力する通信制御手段４５と、操作入力を行う操作部４８とでなる情報受配信端末４と、
配信番組データもしくは配信情報データを配信するＬＡＮやＷＡＮなどの情報配信ネットワーク５と、
情報配信ネットワーク５との通信接続制御を行う通信制御部６１ａと配信情報データもしくは配信番組データを受信し記憶入力するデータ受信部６１ｂとを有するデータ送受信手段６１と、配信番組を表示出力する表示部６４と、音声出力する音声出力部６５と、配信情報データもしくは配信番組データに基づき番組の種別を判断する番組種別判断部６２ａと表示番組データを生成する表示データ生成部６２ｂと音声データを生成する音声データ生成部６２ｃと表示部６４および音声出力部６５を制御する表示制御部６２ｄとを有する表示制御手段６２と、配信情報データもしくは配信番組データを記憶する受信データメモリ６３ａと装置ＩＤを記憶する表示ＩＤメモリ６３ｂと表示制御手段６２の制御条件を記憶している表示制御メモリ６３ｃとを有するデータ記憶手段６３と、番組の選択入力や音声調整などを行う操作手段６６とで成る表示制御装置６、などで標準構成されている。
【００２０】
情報受配信端末４のデータＩ／Ｆ手段４１には、受信復調した配信情報データに基づき番組の種別を判断する番組種別判断部（図示していない）、データの種別を判断するデータ種別判断部４１ｃ、所定の区分データを分離する区分データ分離部４１ｄ、及び配信情報データをデータ格納手段４３の所定ファイルへの格納記憶制御を行うデータ格納制御部４１ｅなどが追加設置されている。
【００２１】
情報受配信端末４のデータ格納手段４３には、データ格納制御部４１ｅの格納制御条件を記憶している格納条件ファイル４３ｃ、番組配信制御部４２ｃが配信情報データもしくは配信番組データを配信する配信先データを記憶登録している配信先データファイル４３ｄ、番組配信の予定データを記憶登録している配信予定ファイル４３ｆなどが追加設置されている。
【００２２】
［配信情報データ］
図４に示す本発明による情報配信システムに用いられる配信情報データの模式図を用いて、配信情報データの構成を説明する。
配信情報データは図４（イ）に示す如く管理データｍ１、ｍ２、・・・と制御データｃ１、ｃ２、・・・・と表示データ（番組データ）ｈ１、ｈ２、・・とで構成される一過性のデータで、例外的に一般的な文字放送データの如く循環的（一定期間で繰返伝送）に送信される。
図４（ニ）は、管理データの細部構成を表し、最低構成の管理データはヘッダｍ００と、送信元コードｍ０１と、送信先コードｍ０２、テキスト、制御、番組などを表すデータ種別コード、もしくは、文字放送、音声番組、動画番組などを表す番組種別コードｍ０３となどで基本構成されている。
【００２３】
［配信情報データの配信］
次いで本願システムの概略の配信方法を説明する。
個人の呼出、天気予報、各種サービス情報、文字放送サービス、イベント案内情報、交通情報などの配信情報データは、情報配信装置１より無線通信手段による公衆通信回線網３を経由して所定のＰＤＡ２に送信される。ポケット端末やハンドヘルド端末の場合の送信先は、ＰＤＡの装置ＩＤが指定され、配信情報データが送信される。通信機能を内蔵する携帯端末の場合には、通信契約ＩＤもしくは契約アドレスにパケット通信伝送される。本願では両者を総称してＰＤＡと云う。
【００２４】
ＰＤＡで受信した配信情報データは、情報受配信端末４のＩ／Ｆ手段４１に入力復調され、データ格納手段４３に一時記憶されると共に、該配信情報データの番組種別、データ種別などが判断される。
該配信情報データは、番組種別毎もしくはデータ種別毎にデータ格納手段４３の所定の格納区画に格納記憶される。さらに、解析条件ファイル４３ｂに予め登録されている解析条件に基づいて、区分データ分離部４１ｄは配信情報の該当する区分データを分離し、格納条件ファイル４３ｃに予め登録されている格納条件に基づいて、所定の格納区画に格納記憶する。
【００２５】
［配信番組データの作成］
番組作成部４２ａは、データ格納手段４３に格納された配信情報の区分データを組合せて新たな配信番組データを作成し、配信番組ファイル４３ｅに格納登録する。配信番組ファイル４３ｅには、前述のＰＤＡ２より入力された配信番組データも格納登録されていることは云うまでもない。
【００２６】
［表示制御装置への配信番組データの配信］
本願実施例の表示制御装置６は、パソコン機能が内蔵された複数のＰＤＰ（プラズマディスプレイ）を用いた表示制御装置６’、６”で、情報受配信端末４と情報配信ネットワーク５を介して通信接続されている。情報受配信端末４の番組配信制御手段４２は、データ格納手段４３に格納されている配信番組データより該当する番組データを読み出し、配信予定ファイル４３ｆに予め登録されている配信予定データに沿って該当する表示制御装置６に配信する。配信先の装置ＩＤ、希望配信番組などの配信先データは、配信先データファイル４３ｄに予め登録されている。
【００２７】
配信する配信番組データもしくは配信情報データは、通信制御手段４５、情報配信ネットワーク５を経由して該当する表示制御装置６に配信される。
表示制御装置６のデータ送受信手段６１は、該当配信番組データもしくは配信情報データを受信すると共にデータ記憶手段６３に一時記憶する。表示制御手段６３は、番組種別の判断を行い表示画像データ並びに音声データを生成し、表示部６４並びに音声出力部６５より表示出力する。
【００２８】
［制御データの受信および配信］
リモート制御を受ける複数の機器制御装置（図示していない）は、表示制御装置６と同様情報配信ネットワーク５に通信接続されている。
情報受配信端末４の番組配信制御手段４２は、機器の制御指令を行う制御データを編集して制御番組データを作成して、データ記憶手段６３の所定の格納区画に格納登録すると共に、通信制御手段４５、情報配信ネットワーク５を経由して該当する機器制御装置に配信する。
【００２９】
［情報配信ネットワーク５］
情報受配信端末４と複数の表示制御装置６および機器制御装置とを通信接続する情報配信ネットワーク５は、通常ＬＡＮやＷＡＮが用いられるが、表示制御装置６、６’、６”、がより広域に配置されている場合、ＩＳＤＮやＡＤＳＬなどのディジタル通信網が利用される。狭いエリアの場合には、無線伝送手段による無線ＬＡＮやブルートゥース規格に準拠する微弱電波手段が利用される。
情報受配信端末４の通信制御手段４５および表示制御装置６の通信制御部６１ａは、前述の情報配信ネットワーク５に対応した通信手段とすることは云うまでもない。
【００３０】
［データＩ／Ｆ手段］
ＰＤＡ２のＩ／Ｆ部２６と情報受配信端末４のデータＩ／Ｆ部４１は、通常ケーブル接続されるが、無線ＬＡＮ手段、Ｉｒ−ＤＡ規格の赤外線伝送手段などの通信接続手段も用いられている。さらに、ＰＤＡ２の機能を内蔵した情報受配信端末にあっては、データＩ／Ｆ手段４１は不要となる。
【００３１】
［配信情報データの配信方法の詳細説明］
配信情報データの配信方法を配信情報データの流れに沿って、詳細動作を説明する。  配信情報データは、ポケット端末やハンドヘルド端末のごとく個人呼出サーバ、文字放送サービスを行う情報サービスサーバ、音楽や動画番組のコンテンツを配信するコンテンツ配信サーバ、機器の遠隔制御を行う遠隔制御サーバなどの情報配信装置１より、主に無線パケット通信手段による公衆通信回線網を経由して配信される。但し、衛星通信回線や専用通信回線などを経由したり、インターネットを経由して配信される場合もある。さらに、携帯電話回線網を利用して配信することも出来る。
【００３２】
図４（イ）および（ニ）に示す配信情報データの管理データ部（ｍ）には、送信元コードｍ０１と共に送信先コード（ｍ０２）が添付されており、送信先のＰＤＡ２を指定している。但し、携帯電話回線網やインターネット経由の場合、配信情報データの手前に送信先のアドレスが添付され、該当ＰＤＡ２の呼出に用いられる。
さらに、管理データ（ｍ）には、制御データ、表示データ、番組データ、テキストデータ、音声データ、イメージデータ、アプリケーショデータなどを表すデータ種別コードもしくは番組種別コードと、データもしくは番組の番号を表すデータ区分コードもしくは番組Ｎｏ．コードと、データもしくは番組のサブ区分を表すサブ区分コードもしくはフレームコードなどが添付されている。
【００３３】
ＰＤＡ２の無線通信手段２１は、公衆通信回線網３を経由して配信情報データを受信すると、受信データをＩ／Ｆ手段２６より情報受配信端末４に転送すると共に、図示していない内部メモリに一旦記憶入力する。
同じく表示制御部は受信した配信情報データに基づいて表示データ（画像、音声を含む）を生成して表示部２４及び音声出力部より表示出力する。ＰＤＡ２の操作は、キーボタン２２、カーソルキー２３、キーボードなどで行われる。機器の形態は、ポケット端末、ハンドヘルド端末、無線モデム内蔵の携帯パソコンなどのＰＤＡとしているが、情報受配信端末４に内蔵の場合には無線モデムもしくはネット対応モデム（インターネット、ＬＡＮ、インサーネットなど）であっても良い。
【００３４】
［配信情報データの分離と格納］
情報受配信端末４のデータ復調部４１ｂは、Ｉ／Ｆ部４１ａを経由した受信データより配信情報データを復調し、受信データファイル４３ａに順次記憶入力する。
データ種別判断部４１ｃは、配信情報データの管理データ（ｍ）よりデータ種別もしくは番組種別コードを読み出し、解析条件ファイル４３ｂに予め記憶登録されているデータ種別コードテーブルもしくは番組種別コードテーブルを参照して、データ種別もしくは番組種別を判断する。
【００３５】
区分データ分離部は、データ種別判断部４１ｃの判断データに基づいて、配信情報データの該当区分を分離出力する。
データ格納制御部４１ｅは、格納条件ファイル４３ｃに予め記憶登録されているデータ種別もしくは番組種別毎の格納条件に基づいて、データ格納手段４３の所定の格納区画（受信データファイル４３ａ、もしくは配信番組ファイル４３ｅ）に該当区分データを記憶格納する。
前述の所定の格納区画は、操作部４８より任意の格納区画を格納条件ファイル４３ｃに設定するか、もしくは、前述の制御データに重畳された格納区画設定制御データに基づいて設定される。
【００３６】
番組作成部４２ａは、データ格納手段４３に格納された単独又は複数データ区分の配信情報データを組み合わせて新たな配信番組データを作成する。番組格納制御部４２ｂは、該配信番組データを配信番組ファイル４３ｅに格納する。配信番組ファイル４３ｅに格納される配信番組データは、機器の制御データと、テキストデータ、メールデータ、静止画データ、動画データ、文字放送データ、音声データ、メロディデータ及びゲームプログラムなどの表示データ（図４（イ）ｈ１、ｈ２、....... ）と制御データ（図４（イ）ｃ１、ｃ２、．．．．．．）とを含む。
番組作成に当たり、同一区分の配信情報データを複数の番組で利用する場合、該当配信情報データは複数の格納区画（配信番組ファイル４３ｅ）に同時に格納することになる。
【００３７】
図４（ロ）は、複数の格納場所毎に異なった配信番組データの区画が格納された状態を模式的に表している。図４（ハ）は、同一格納区画に複数の配信番組データの区画を重畳して格納する状態を表している。
【００３８】
作成された配信番組データは、表示制御手段４６により表示用データが生成され表示部４７に表示出力される。同時に図示していない音声出力部より音声出力される。同じく図示していない外部機器制御部は、外部機器のリモート制御を行うことが出来る。
【００３９】
［番組情報データの配信］
番組配信制御部４２ｃは、配信予定ファイル４３ｆに予め登録している配信番組データを読み出し、該配信番組データに配信先データファイル４３ｄに予め登録している配信先の装置ＩＤ（アドレス）データを添付して送出する。
【００４０】
通信制御手段４５は、該配信番組データを情報配信ネットワーク５に送信する。
該当アドレスの表示制御装置６の通信制御部６１ａは、配信番組データを受信復調し、データ受信部６１ｂは表示ＩＤメモリ６３ｂに予め登録されている装置ＩＤの添付された配信番組データのみを選択受信し、受信データメモリ６３ａに記憶格納する。
【００４１】
［番組情報データの表示出力及び制御出力］
番組種別判断部６２ａは、記憶格納された配信番組データの番組種別（表示用番組、機器制御用番組）を判断する。表示用番組の場合、表示データ生成部６２ｂは、テキスト、静止画、動画、ＣＧ（Computer Graphics ）などの表示用データを生成して表示部に表示出力する。一方、音声データ生成部６２ｃは、音声信号を生成して音声出力部６５より音声出力する。
図示していない機器制御部は、外部機器の制御データもしくは制御信号を生成し、外部制御端子に制御出力する。
【００４２】
［配信情報データの格納条件設定］
情報受配信端末４の格納条件ファイル４３ｃには、同一配信情報データが更新された場合、格納しているデータを自動更新又は追加更新する追加更新機能が付加されており、交通情報や金融取引情報などのように巡回的に更新される配信情報データは常に最新情報で更新される。
追加更新機能が付加された場合には、格納区画の容量もしくはデータ容量の上限を予め設定し、更新データを先入れ先出しとし、オーバフローした部分は自動廃棄される。
さらに、格納条件の変更や設定の変更、装置の電源投入時などでは、格納している配信情報データは同じく自動更新される。これらのデータ更新処理は、データ格納制御部４１ｅによて制御処理される。
【００４３】
［配信番組データの請求と送信］
表示制御装置６に追加設置された番組請求部６１ｃは、操作手段６６より入力された配信番組の請求に基づき番組請求データを生成し、通信制御部６１ａ、情報配信ネットワークを経由して、情報受配信端末４に送信する。同じく情報受配信端末４に追加設置された請求データ受付部４４ａは該番組請求データを受付け、データ検索部４４ｃに該当番組データの検索を指令する。データ検索部４４ｃは、配信番組ファイル４３ｅ内を検索し該当番組データを読み出す。請求データ送信部４４ｂは、検索出力された番組データを請求元の表示制御装置６に送信する。
【００４４】
【発明の効果】
本発明は以上に説明した内容で実施され、以下に述べる効果を奏する。
（１）ＰＤＡのように比較的単純な通信端末を利用して、広域に設置された多数の表示制御装置に多岐に渡る情報を配信することが出来る。
（２）複数の番組情報を組合せて新たな番組情報を作成して、複数の任意の表示制御装置に配信することが出来る。
（３）ＰＤＡのようなパーソナルメディアを利用しながら、放送のような同報的情報配信が出来る。
これらにより、情報配信元から公衆通信回線網を経由してＰＤＡが受信した情報配信データを任意の分離条件で分離すると共に任意の格納条件で複数の格納場所に格納し、該情報配信データを情報配信ネットワーク経由で複数の表示制御装置に配信するＰＤＡ利用の情報配信方法と情報配信の提案が出来た。
【図面の簡単な説明】
【図１】本発明によるＰＤＡ利用の情報配信システムの第一の実施例のシステム構成図である。
【図２】本発明によるＰＤＡ利用の情報配信システムの第二の実施例の要部ブロック図である。
【図３】本発明によるＰＤＡ利用の情報配信システムの第三の実施例の要部ブロック図である。
【図４】発明による情報配信システムに用いられる配信情報データの模式図である。
【符号の説明】
１  情報配信装置
２、２’携帯通信端末（ＰＤＡ）
３  公衆通信回線網
４  情報受配信端末
５  情報配信ネットワーク
６，６’、６”  表示制御装置
２１  無線通信手段
２２  キーボタン
２３  カーソルキー
２４、４７、６４、６４”  表示部
２６、４１ａ  データＩ／Ｆ部
４１  データＩ／Ｆ手段
４１ｂ  データ復調部
４１ｃ  データ種別判断部
４１ｄ  区分データ分離部
４１ｅ  データ格納制御部
４２  番組配信制御手段
４２ａ  番組作成部
４２ｂ  番組格納制御部
４２ｃ  番組配信制御部
４３  データ格納手段
４３ａ  受信データファイル
４３ｂ  解析条件ファイル
４３ｃ  格納条件ファイル
４３ｄ  配信先データファイル
４３ｅ  配信番組ファイル
４３ｆ  配信予定ファイル
４４  請求データ処理手段
４４ａ  請求データ受付部
４４ｂ  請求データ送信部
４４ｃ  データ検索部
４５  通信制御手段
４６  表示制御手段
４８  操作部
６１  データ送受信手段
６１ａ  通信制御部
６１ｂ  データ受信部
６１ｃ  番組請求部
６２  表示制御手段
６２ａ  番組種別判断部
６２ｂ  表示データ生成部
６２ｃ  音声データ生成部
６２ｄ  表示制御部
６３  データ記憶手段
６３ａ  受信データメモリ
６３ｂ  表示ＩＤメモリ
６３ｃ  表示制御メモリ
６５  音声出力部
６６  操作手段
【図１】
0004403668.tif 000002
【図２】
0004403668.tif 000003
【図３】
0004403668.tif 000004
【図４】
0004403668.tif 000005